(57)【特許請求の範囲】
【請求項１】
入口から受け入れたコインをガイドレール上を転がしつつ真贋を判定して後、前記ガイドレールに続くコインシュートにより所定の位置に誘導し、  ガイドレール部材に前記ガイドレールを形成すると共に真贋判定部を設け、かつ、シュート部材にコインシュートを形成し、前記ガイドレール部材に前記シュート部材が複数のワンタッチ連結手段にて取り付けられている構成のコインセレクタにおいて、
前記ワンタッチ連結手段は、前記ガイドレール部材に形成したメス型と、前記シュート部材に形成したオス型とよりなり、オス型をメス型に挿入することにより、シュート部材をガイドレール部材に連結することを特徴とするコインセレクタ。
【請求項２】
前記メス型は挿入方向線に沿って先すぼまり状に形成した一対の内向き係合面と挿入方向線に対し直交する係止面を有し、前記オス型は挿入方向線に沿って先すぼまり状に形成した外向き係合面を有する一対の弾性係合体と挿入方向線に対し直交する面状の係止フックを有するロック体を有し、前記内向き係合面に押圧されて外向き係合面が内向きに弾性変形することを特徴とするに請求項１に記載のコインセレクタ。
【請求項３】
前記メス型は挿入方向線に対し直行する方向に先すぼまり状に形成した一対の内向き係合面を有し、前記オス型は挿入方向線に対し直行する方向に先すぼまり状に形成した外向き係合面を有する一対の弾性係合体を有し、前記内向き係合面に押圧されて外向き係合面が内向きに弾性変形することを特徴とする請求項１および２に記載のコインセレクタ。
【請求項４】
前記メス型は挿入方向線に沿って先すぼまり状、かつ、挿入方向線に対し直行する方向に先すぼまり状に形成した一対の内向き係合面を有し、前記オス型は挿入方向線に沿って先すぼまり状、かつ、挿入方向線に対し直行する方向に先すぼまり状に形成した外向き係合面を有する一対の弾性係合体を有し、前記内向き係合面に押圧されて外向き係合面が内向きに弾性変形することを特徴とする請求項１から３に記載のコインセレクタ。
【請求項５】
前記メス型はガイドレール部材と一体に、かつ、オス型はシュート部材と一体に、樹脂にて成形されていることを特徴とする請求項１から４に記載のコインセレクタ。
【発明の詳細な説明】
【０００１】
【発明が属する技術分野】
本発明は、投入されたコインを転がしながら真正コインと不正コインとに区分けするコインセレクタに関する。特に本発明は、「パチンコ型スロットマシン」、いわゆる「パチスロ」などのゲーム機に使用されているコインセレクタに関する。さらに詳しくは、シュート部材をガイドレール部材に取り付けるための連結構造に関する。なお、本明細書で使用する「コイン」は、通貨であるコインの他、ゲーム機独自のメダルやトークンの総称である。
【０００２】
【従来の技術】
この種転動式コインセレクタは、例えば実開平６−２５９６３号（対応米国特許第５２９３９８１号）に開示されている。
これを図８、図９、図１０を用いて説明する。
図８はコインセレクタの斜視図である。
図９は図８におけるＸ−Ｘ線での断面図である。
図１０はコインセレクタを装着したゲーム機の斜視図である。
【０００３】
８４は軸線方向に長い平板状のフレームであり、両端部の取り付け片９９・９８によりゲーム機内に軸線方向、かつ、図９から明らかなように軸線回りに傾斜して固定されている。
コインの入口８１に続いてフレーム８４の下縁部をＬ字状に屈曲してガイドレール８６を形成してある。
このガイドレール８６は、後述の選別窓８９を通過した近傍まで形成してある。
ガイドレール８６の上面がコインのガイド面８７になっている。
フレーム８４の中間には矩形の選別窓８９を穿孔してある。
【０００４】
この選別窓８９の上縁側には選別板１０１が位置調整可能にビス止めしてある。
９１はフレーム８４の上縁部の枢軸８８に回動可能に軸支され、かつ、図８でフレーム８４の裏側に配置され、かつ、その下縁を前記選別窓８９に対応して配置したキャンセル板である。
８５はこのキャンセル板９１と一体動可能に枢軸８８に軸支され、かつ、フレーム８４の表側に配置したドア板である。
フレーム８４の上端部とドア板８５の上端部とにより、フレーム８４の上端部にはパチスロ機のコイン投入口に投入されたコインを受け入れる漏斗状の入口８１を形成している。
【０００５】
９５はフレーム８４の突起９４に上端部を枢動可能に支持したＬ字状のキャンセル板である。
９６はフレーム８４に固定したソレノイドであり、外部信号により選択的に励磁及び消磁される。
キャンセル板９５の先端部はこのソレノイド９６に吸着されたとき、前記レール８６の延長上に位置して出口８２までガイド面８７を延長する。
ソレノイド９６が消磁されたときはスプリング（図示せず）によりキャンセル板９５が回動されてレール８６の延長上から先端部が外れて落下孔９２を形成するようになっている。
【０００６】
選別板１０１の下縁９０とレール８６のガイド面８７とにより、真正コインの直径よりも僅かに広い間隔８３を規制している。
すなわち、入口８１からのコインＡがガイド面８７を転がって選別板１０１の部位に来ると、真正なコインであれば下縁９０すれすれを転がる。
このとき、コインＡの上縁部が下縁９０にガイドされて倒れが阻止されるから、選別窓８９部を通過できる。
【０００７】
しかし、不正小径コインであれば下縁９０によりガイドされないから、自重で倒れて選別窓８９中に倒れ込んでガイド面８７から落下してしまう。
もちろん、大径の不正コインは、ガイド面８７と下縁９０との間隔８３よりも径が大きいので入り込むことが出来ず、レール８６とドア板８５との間から落下する。
【０００８】
また、ソレノイド９６が励磁されているとキャンセル板９５は吸着されて先端部がレール８６の延長上に位置しているので、選別窓８９部を通過したコインはキャンセル板９５の上面を転がって出口８２に到達できる。
ところが、ソレノイド９６が消磁されるとキャンセル板９５は図示しないスプリングで回動されてレール８６の延長上から外れて落下孔９２を形成する。
【０００９】
これにより、コインＡはこの落下孔９２に落下して出口８２まで到達できない。
このキャンセル機能は、ゲーム機側が故障のときや準備状態のときにコインが投入されてもゲーム者に返却するためのものである。
【００１０】
この種コインセレクタは、例えばパチスロに用いられる。
図１０に示すように、１００はパチスロ用のゲーム機である。
１０２はゲーム機１００のコインの投入口である。
１０３はゲーム機１００内に内蔵した前述のコインセレクタである。
１０４はゲーム機１００に内蔵された、コイン保留部としてのホッパである。
【００１１】
このホッパ１０４は、ゲーム機１００内のレイアウトデザインに基づいて位置が設定されている。
ところで、コインセレクタはゲーム機等に内蔵して使用されるが、ゲーム機は機種毎にコイン投入口及び受け入れたコインを貯留する位置が異なる。
【００１２】
コインセレクタはこれに対応するため、入口８１をゲーム機１００のコイン投入口１０２に続けて配置し、コイン保留部としてのホッパ１０４の上方に出口８２が位置するようフレーム８４を変更するか、出口８２に続いて案内用のシュート部材を配置して重力を利用して誘導していた。
【００１３】
しかし、フレームの種類が多数ある場合、組立作業をする際にフレームの選択ミスを生じる恐れがある。
また、シュート部材を別に設けた場合、シュート部材の大きさ分、下方にホッパを配置せねばならず、ホッパの容量が少なくなる等の問題がある。
さらに、前記両方式とも部品点数が多くなり、コスト的にも不利であった。
【００１４】
【発明が解決しようとする課題】
本発明の第１の目的は、組立ミスを生じず、コイン保留部の容量を低下させないで、コインの真偽を判別し、かつ、投入口から保留部までコインを誘導することができるコインセレクタを得ることである。
【００１５】
【課題を解決するための手段】
この目的を達成するため、本発明は、入口から受け入れたコインをガイドレール上を転がしつつ真贋を判定して後、前記ガイドレールに続くコインシュートにより所定の位置に誘導し、  ガイドレール部材に前記ガイドレールを形成すると共に真贋判定部を設け、かつ、シュート部材にコインシュートを形成し、前記ガイドレール部材に前記シュート部材が複数のワンタッチ連結手段にて取り付けられている構成のコインセレクタにおいて、
前記ワンタッチ連結手段は、前記ガイドレール部材に形成したメス型と、前記シュート部材に形成したオス型とよりなり、オス型をメス型に挿入することによりシュート部材をガイドレール部材に連結することを特徴とするコインセレクタとしものである。
【００１６】
この構成によれば、例えばゲーム機の投入口から投入されたコインはコインセレクタの入口を通ってガイドレール上を転がりつつ真贋の判定がなされ、不正と判定されたコインはガイドレールから外れて落下する。
真正と判断されたコインは、ガイドレール上をさらに転がって後シュート部材のコインシュートに達し、このコインシュートに案内されて保留部に達する。
【００１７】
このため、真贋判定部とガイドレールとを形成したガイドレール部材は全て同一の部品を使用し、保留部への案内はガイドレール部材にワンタッチで着脱できるシュート部材に担わせる。
そしてこのシュート部材は、保留部の位置に適合するものを選択してガイドレール部材に装着する。
【００１８】
ガイドレールと真贋判定部を有するガイドレール部材は、同一の部品を使用することが出来るので組み付けミスを生じることがない。
【００１９】
また、シュート部材のガイドレール部材への取り付けは、ワンタッチで出来るので取り付け作業が容易である。
さらに、シュート部材はガイドレール部材に連結されて一体化されているので、別体の場合のように余分な取り付けスペースを占有することがなく、保留部の容量を減らすこともない。
【００２０】
好ましくは、ワンタッチ連結手段は複数で構成する。
ワンタッチ連結手段が複数であると、ガイドレール部材とシュート部材とは少なくとも２点で固定される。
少なくとも２点で固定した場合、ガイドレールとコインシュートとの位置関係を正確に保持できるとともに、連結強度も増加する。
【００２１】
好ましくは、ガイドレール部材の基準端面はガイドレールを含む平面に対し直交しており、シュート部材の前記基準端面に接する従端面は平面をなすよう構成する。
【００２２】
この構成によれば、ガイドレール部材の基準端面にシュート部材の従端面を押し付けけることにより、ガイドレールとコインシュートとの位置関係を所定の関係に設定される。
すなわち、ガイドレールの延長上に上向き傾斜面が段差無しに位置し、立設ガイド面が垂直ガイド壁の延長上に段差なく位置する。
しがたって、ワンタッチ連結手段を連結することにより、ガイドレールとコインシュートとの位置関係が設定できる。
【００２３】
好ましくは、ワンタッチ連結手段は、ガイドレール部材に形成したメス型と、シュート部材に形成したオス型とよりなり、オス型をメス型に挿入することにより連結するよう構成する。
この構成によれば、ガイドレール部材のメス型である凹部にシュート部材のオス型である凸部を挿入して取り付ける。
【００２４】
したがって、コインセレクタの主要機能であるコインの真贋判定部を有するガイドレール部材に凸部を追加しないので、組み付けや調整の際にこの凸部をぶつけて破損してしまうことがない。
【００２５】
好ましくは、メス型は挿入方向線に沿って先すぼまり状に形成した一対の内向き係合面を有し、オス型は挿入方向線に沿って先すぼまり状に形成した一対の外向き係合面を有し、前記内向き係合面に押圧されて外向き係合面が内向きに弾性変形するよう構成する。
【００２６】
この構成によれば、内向き係合面によって外向き係合面が押圧されて外向き係合面を有するオス型の係合体は内方に変形される。
オス型は、挿入孔から押し出しされる力を受けるから、係止フックが係止面に押し付けられる。
この押し付けにより、オス型の挿入方向線に対するがたつきを解消できる。
【００２７】
好ましくは、メス型は挿入方向線に対し直行する方向に先すぼまり状に形成した一対の内向き係合面を有し、オス型は挿入方向線に対し直行する方向に先すぼまり状に形成した外向き係合面を形成した一対の外向き係合体を有し、前記内向き係合面に押圧されて外向き係合体が内向きに弾性変形するよう構成する。
【００２８】
この構成によれば、内向き係合面によって外向き係合面が押圧されて外向き係合面を有するオス型の係合体は挿入方向線に対し直角方向に押し付けられる。
この力により、オス型はメス型に密に押し付けられて挿入方向線に対する直角方向のがたつきを解消できる。
【００２９】
好ましくは、メス型は挿入方向線に沿って先すぼまり状、かつ、挿入方向線に対し直行する方向に先すぼまり状に形成した一対の内向き係合面と挿入方向線に対し直交する係止面を有し、オス型は挿入方向線に沿って先すぼまり状、かつ、挿入方向線に対し直行する方向に先すぼまり状に形成した一対の外向き係合面と挿入方向線に対し直交する係止フックを有するロック体とを有し、前記内向き係合面に押圧されて外向き係合面が内向きに弾性変形するよう構成する。
【００３０】
この構成によれば、内向き係合面によって外向き係合面が押圧されて外向き係合面を有するオス型の係合体は押し出し力を受け、フック部が係止面に押圧される。
これらの力により、オス型はメス型に押し付けられて挿入方向線と同方向及び挿入方向線に対する直角方向のがたつきを解消できる。
【００３１】
好ましくは、メス型はガイドレール部材と一体に、かつ、オス型はシュート部材と一体に、樹脂にて成形する。
この構成によれば、メス型もオス型も一体成形しているので、１回の成形により製造でき、安価にできるものである。
【００３２】
【発明の実施の形態】
【実施例】
図１は実施例のカバーを外した状態の正面図
図２は実施例の背面図
図３は図１のＡ−Ａ線断面図
図４は図２のＢ−Ｂ線断面図
図５は図１のＣ−Ｃ線断面図
図６は実施例のシュート部材を外した状態の背面斜視図
図７は実施例のワンタッチ連結構造の拡大斜視図
【００３３】
図１において、１はガイドレール部材であって、樹脂により成形してある。
５はコインの投入孔、６（図６参照）はコイン出口である。
【００３４】
ガイドレール部材１には幅がコインとほぼ同一のレール８が側方に突出形成してある。
レール８は、ほぼ垂直の下降部８Ａ、それに続くほぼ４分の１の円弧部８Ｂ、円弧部８Ｂに続く直線的な斜面部８Ｃよりなっている。
レール８表面には、ステンレス板９が摩耗防止のため装着してある。
【００３５】
したがって、ステンレス板９の表面がコインのガイドレールＧである。
このガイドレールＧに隣接した本体１側に垂立壁８Ｄを設けてある。
ガイドレールＧに沿ってガイドレールＧを含む仮想平面がコイン通路１０を形成する。
ガイドレール部材１の出口６を穿設した基準端面１Ｌは、前記仮想平面と直交している。
【００３６】
１１はガイドローラであって、ガイドレール部材１１に突設した軸１２に前記円弧面８Ｂと同心に回転自在に支持してある。
ガイドローラ１１は図５から明らかなように、コインの周面と一方の側面をガイドする断面鈎状の誘導凹部１１Ａを有している。
誘導凹部１１Ａは、側方ガイド１１Ｄ、底部１１Ｂ、凸部１１Ｃとにより形成されている。
【００３７】
この誘導凹部１１Ａは、前記ガイドレールＧと同一平面内、すなわち、コイン通路１０にある。
ガイドローラ１１の誘導凹部１１Ａの底部１１ＢとガイドレールＧとの距離は真正なコインの直径よりも僅かに大きく設定してある。
また、ガイドローラ１１の誘導凹部１１Ａの深さは、コインの直径が真正コインよりも小さければ側方ガイド１１Ｄから外れるように設定してある。
ガイドレールＧとガイドローラ１１とで真贋判定部１８を構成している。
【００３８】
１３は直状の規制面１３Ａを有すると共にコインよりも厚みが僅かに厚い規制板であり、ビス１４でガイドレール部材１に固定されている。
ガイドレールＧと規制面１３Ａは真正コインの径よりも僅かに大きい間隔を有しており、真正コインの径の判別とガイド機能を有している。
【００３９】
２０はシュート部材であり、図２、図６において明らかなように背面にワンタッチ連結手段２１Ａ、２１Ｂの一方を構成するオス型２２Ａ、２２Ｂが上下方向に間隔を置いて形成してある。
ガイドレール部材１には、メス型２３Ａ、２３Ｂが形成してある。
前記オス型２２Ａをメス型２３Ａに、オス型２２Ｂをメス型２３Ｂに挿入してシュート部材２０をガイドレール部材１に連結固定してある。
【００４０】
この連結状態は、ガイドレールＧの延長上にシュート部材２０の上向き傾斜面２０Ａが位置し、かつ、垂立壁８Ｄの延長上に立設ガイド面２０Ｂが位置するように構成してある。
具体的には、ガイドレールＧに対し上向き傾斜面２０Ａが段差を有しないないように設定してある。
【００４１】
また、垂立壁８Ｄに対し、立設ガイド面２０Ｂが段差を有しないように設定してある。
立設ガイド面２０Ｂは、この例では端部が前側に向かってカーブしている。
【００４２】
次にワンタッチ連結手段２１Ａ、２１Ｂの構成を説明するが、同一構造であるので、連結手段２１Ａを代表して図７を参照しつつ説明する。
ワンタッチ連結手段２１Ｂの２１Ａと同じ部位には、同一数字に記号ＡをＢに代えて付与し、説明を省略する。
オス型２２Ａは、上弾性係合体２５Ａと下弾性係合体２６Ａ及びロック体３３Ａとよりなっている。
【００４３】
これら部材は、シュート部材２０と一体に樹脂により成形されている。
シュート部材２０のオス型２２Ａ側の端面には、ガイドレール部材１に組み付けられた場合、前記ガイドレールＧを含む平面と直角をなす面内に位置する従端面２０ＣＳ、２０ＤＳを有する突起２０Ｃ、２０Ｄが突設してある。
【００４４】
これら突起２０Ｃ、２０Ｄの従端面２０ＣＳ、２０ＤＳは、前記基準端面１Ｌに宛うことにより、立設ガイド面２０ＢがガイドレールＧを含む平面と平行をなすように位置決めされる。
上弾性係合体２５Ａと下弾性係合体２６Ａとは、上下方向に間隔を空けて位置している。
【００４５】
また、上弾性係合体２５Ａの基部３０Ａは、ガイドレール部材１から水平方向後方に伸びており、先端部はメス型２３Ａへの挿入方向線２７Ａに沿って横方向に伸び、ガイドレール部材１から突出して自由端になっている。
したがって、上弾性係合体２５Ａと下弾性係合体２６Ａとは、樹脂の有する弾性により、挿入方向線２７Ａに対し接近又は離れる方向に弾性変形する。
【００４６】
挿入方向線２７Ａは、前記ガイドレールＧを含む平面と平行であり、基準端面１Ｌと直交している。
上弾性係合体２５Ａの外向き係合面２８Ａと下弾性係合体２６Ａの外向き係合面２９Ａとは、先端部に向かうほど挿入方向線２７Ａに近づくように形成してある。
基部３０Ａは、この傾斜を有しておらず、挿入方向線２７Ａと平行をなしている。
【００４７】
したがって、外向き係合面２８Ａと２９Ａとは挿入方向線２７Ａに沿って先すぼまり状をなしている。
また、外向き係合面２８Ａと２９Ａとは図７から明らかなように、後側（図１において図面の垂直下方側）に向かうほど挿入方向線２７Ａに対し直交する方向線３０Ａに対し近づくように形成してある。
すなわち、外向き係合面２８Ａと２９Ａとは方向線３０Ａに対し先すぼまり状をなしている。
【００４８】
しかし、上弾性係合体２５Ａの基部３０Ａの外向き係合面３２Ａと下弾性係合体２６Ａの基部３１Ａの外向き係合面３３Ａとは、挿入方向線２７Ａに沿った方向に先すぼまり状になっておらず、平行に形成してある。
ロック体３４Ａは上弾性係合体２５Ａと下弾性係合体２６Ａとの間に位置し、挿入方向線２７Ａに沿ってシュート部材２０から突出し、それら弾性係合体２５Ａ、２６Ａの途中まで伸びている。
【００４９】
したがって、ロック体３４Ａは主に方向線３０Ａに沿って前後方向に弾性変形可能である。
ロック体３４Ａの先端部には、係止フック３５Ａが形成されている。
係止フック３５Ａの先端は、挿入方向線２７Ａと直交する面を有する。
【００５０】
この面は、常態では上弾性係合体２８Ａと下弾性係合体２８Ｂよりも後方へ突出している。
ロック体３４Ａの先端部の後面には誘導斜面３６Ａが形成されている。
３７Ａは上弾性係合体２５Ａを切り欠いて形成した逃げ凹部である。
３８Ａは下弾性係合体２６Ａを切り欠いて形成した逃げ凹部である。
【００５１】
次に、このオス型２２Ａと対のメス型２３Ａを説明する。
断面台形状の挿入口４２Ａは、基準端面１Ｌの出口６に隣接した位置に形成してある。
この挿入口４２Ａの上面に続いて上側内向き係合面４８Ａを形成するガイド体側上弾性係合体４５Ａが設けてある。
挿入口４２Ａの下面に続いて下側内向き係合面４９Ａを形成するガイド体側下弾性係合体４６Ａが設けてある。
【００５２】
ガイド体側上弾性係合体４５Ａ、ガイド体側下弾性係合体４６Ａともガイドレール体１と一体に樹脂にて成形されている。
上側内向き係合面４８Ａは挿入方向線２７Ａに沿ってそれに近づくよう傾斜している。
下側内向き係合面４９Ａは挿入方向線２７Ａに沿ってそれに近づくように傾斜している。
【００５３】
したがって、上側内向き係合面４８Ａと下側内向き係合面４９Ａとはそれらの間が先すぼまり状になるよう形成してある。
また、上側内向き係合面４８Ａは挿入方向線２７Ａと直交する方向線３０Ａに沿ってそれに近づくよう傾斜している。
下側内向き係合面４９Ａも方向線３０Ａに沿ってそれに近づくように傾斜している。
【００５４】
すなわち、内向き係合面４８Ａと４９Ａとは方向線３０Ａに対し先すぼまり状になっている。
挿入孔４２Ａ部は、挿入線２７Ａに沿った方向に前記先すぼまり状になっておらず、平行に形成してある。
方向線３０Ａに対しては、先すぼまり状に形成してある。
【００５５】
挿入孔４２Ａの弾性係合体４５Ａ、４６Ａ側の係止面は、挿入方向線２７Ａと直行する面内にある係止面５０Ａを構成している。
なお、この挿入孔４２Ａの前記誘導斜面３６Ａに相対する部位を斜面に形成した場合、誘導斜面３６Ａを形成しなくともよい。
次に、ワンタッチ連結手段２１Ａ、２１Ｂを使ったシュート部材２０の連結及び取り外し方法を説明する。
【００５６】
ワンタッチ連結手段２１Ａのオス型２２Ａを、対をなすメス型２３Ａの挿入孔４２Ａに挿入する。
また、ワンタッチ連結手段２１Ｂのオス型２２Ｂは、対をなすメス型２３Ｂの挿入孔４２Ｂに挿入する。
【００５７】
以下、ワンタッチ連結手段２１Ａと２１Ｂとは同一の作用をするので、ワンタッチ連結手段２１Ａを代表して説明する。
ロック体３４Ａは、その頭部の斜面３６Ａが挿入孔４２Ａの後面に当接して押されるので、弾性変形して挿入孔４２Ａを通過することができる。
【００５８】
挿入孔４２Ａを通過した後、ロック体３４Ａは自己の弾性力により元に戻り、係止フック３４Ａが係止面５０Ａと係合する。
この状態は、係止フック３５Ａが係止面５０Ａに係止されてシュート部材２０を引き抜くことが出来ない。
この連結状態にあっては、オス型２２Ａの基部３０Ａ、３１Ａが挿入口４２Ａに密に嵌合した状態である。
【００５９】
また、メス型２３Ａの内向き係合面４８Ａ及び４９Ａと対応するオス型２２Ａの外向き係合面２８Ａ、２９Ａとが面接触し、ガイド体側上弾性係合体４５Ａ及びガイド体側下弾性係合体４６Ａの弾性力により押圧している。
この押圧によりオス型２２Ａはそれらの外向き係合面２８Ａ、２９Ａとが先すぼまりになっていることから、挿入方向線２７Ａと逆方向の押し出し力を受ける。
【００６０】
これにより、係止フック３５Ａが係合面５０Ａに押し付けられる。
この押し付けにより、シュート部材２０のガイドレール部材１に対する挿入方向線２７Ａ方向のガタつきが無くなる。
また、外向き係合面２８Ａ、２９Ａが挿入方向線２７Ａと直交する方向線３０Ａに沿って先すぼまりになっていることにより、ガイドレール部材１の前側（図１において図面に対し垂直上方方向）へ押圧され、上弾性係合体２５Ａ、下弾性係合体２６Ａの前側端面がガイドレール部材１の背面に押し付けられる。
【００６１】
これにより、シュート部材２０のガイドレール部材１に対する前後方向のガタつきが無くなる。
したがって、シュート部材２０はガイドレール部材１に対する前後、左右方向のガタつきが無い状態で連結される。
シュート部材２０をガイドレール部材１から取り外す際は、ロック体３４Ａの係止フック３５Ａを押して係止面５０Ａから外す。
この後、シュート部材２０を引いて、オス型２２Ａを挿入孔４２Ａから抜き出す。
【００６２】
異なるシュート部材を前記と同様に連結すれば、同一のガイドレール部材１を使って他のゲーム機に装着できるようになる。
なお、上記コインセレクタは次のように作用する。
真正コインは、入口５に投入されるとガイドレール部材１、カバー２、規制面１３Ａ、下降部８ＡのガイドレールＧで案内されて垂直に落下する。
【００６３】
その後、下降部８ＡのガイドレールＧおよび垂立壁８Ｄ、ならびに、ガイドローラ１１の側方ガイド１１Ｄおよび凸部１１Ｂとで斜面部８Ｃへ案内する。
円弧部８ＢではコインがガイドレールＧに密着するため、一部がガイドローラ１１の誘導凹部１１Ａにおいて側方ガイド１１Ｄ及び凸部１１Ｂにガイドされつつ進行する。
【００６４】
この後、コインは斜面部８ＣのガイドレールＧ上を通過して出口６からシュート部材２０に達する。
この斜面部８Ｃにおいて、ガイドレール部材１と反対側のコイン通路の側面は、図示しないガイドにより画定されている。
シュート部材２０では、上向き傾斜面２０Ａ上を転がりつつ、カーブ部に案内されて前方側（図面に対し垂直上方方向）へ案内され、前記ホッパ１００のタンク部に落下する。
【００６５】
不正コインを使用した場合、例えばコインの直径が小さい場合は、そのコインのガイドローラ１１の側方ガイド１１Ｄ或いは凸部１１Ｂに達しないので、自己の振れにより倒れてガイドレールＧから外れ、落下する。
【００６６】
コインが正貨以上に厚い場合、ガイドレール部材１とカバー２により画定されている入口５で支えてしまう。
コインの直径が大きい場合は、ガイドレールＧと規制面１３Ａとの間に支えるので選別可能である。
【００６７】
【図面の簡単な説明】
【図１】図１は実施例のカバーを外した状態の正面図
【図２】図２は実施例の背面図
【図３】図３は図１のＡ−Ａ線断面図
【図４】図４は図２のＢ−Ｂ線断面図
【図５】図５は図１のＣ−Ｃ線断面図
【図６】図６は実施例のシュート部材を外した状態の背面斜視図
【図７】図７は実施例のワンタッチ連結構造の拡大斜視図
【図８】図８は従来例の斜視図
【図９】図９は図８のＸ−Ｘ線の断面図
【図１０】図１０は従来例を装着したゲーム機の斜視図
【符号の説明】
ガイドレール        Ｇ
ガイドレール部材    １
基準端面            １Ｌ
入口                ５
真贋判定部          １８
シュート部材        ２０
従端面              ２０ＣＳ、２０ＤＳ
ワンタッチ連結手段  ２１Ａ、２１Ｂ
オス型              ２２Ａ、２２Ｂ
メス型              ２３Ａ、２３Ｂ
挿入方向線          ２７Ａ、２７Ｂ
外向き係合面        ２８Ａ、２９Ａ
上弾性係合体        ２５Ａ
下弾性係合体        ２６Ａ
ロック体            ３４Ａ
係止フック          ３５Ａ
ガイド体側上弾性係合体  ４５Ａ
ガイド体側下弾性係合体  ４６Ａ
内向き係合面        ４８Ａ、４９Ａ
係止面              ５０Ａ
【図１】
0004254912.tif 000002
【図２】
0004254912.tif 000003
【図３】
0004254912.tif 000004
【図４】
0004254912.tif 000005
【図５】
0004254912.tif 000006
【図６】
0004254912.tif 000007
【図７】
0004254912.tif 000008
【図８】
0004254912.tif 000009
【図９】
0004254912.tif 000010
【図１０】
0004254912.tif 000011